(57)【要約】【課題】画像に関連する地域の趣向を反映させることの可能な画像処理装置、画像処理方法及び画像処理プログラムを提供すること。【解決手段】画像処理装置は、被写体を撮影する撮影部（１１）と、撮影された画像を記憶するメモリ（３４）と、位置情報を取得するＧＰＳ制御部（１０１）及び地域特定テーブル（１１２）と、位置情報と画像の画調変更処理の内容（パラメータ）とを対応付けて記憶する画調変更テーブル（１１３）と、画像の撮影時の位置情報に対応する画調変更処理の内容に基づいて、画像の画調変更処理を行う画調変更部（１０２）と、を備える。【選択図】図１
2011166607.tif 000002
【特許請求の範囲】
【請求項１】
画像データを記憶する記憶手段と、
複数の位置情報毎に、画像の画調を変更する画調変更処理の内容を記憶する画調変更内容記憶手段と、
画像に関連する位置を示す位置情報を取得する位置情報取得手段と、
前記画調変更内容記憶手段に前記複数の位置情報毎に記憶された前記画調変更処理の内容のうち、前記位置情報取得手段によって取得された前記位置情報に対応する画調変更処理の内容に基づいて、前記記憶手段に記憶された前記画像データに対して前記画調変更処理を実行する画調変更手段と、
を備える画像処理装置。
【請求項２】
被写体を撮影して、前記被写体の画像の画像データを出力する撮影手段を備え、
前記位置情報取得手段は、前記撮影手段により前記被写体が撮影された位置を示す位置情報を取得し、
前記画調変更手段は、前記位置情報取得手段によって取得された前記位置情報に対応する画調変更処理の内容に基づいて、前記記憶手段に記憶された前記画像データに対して前記画調変更処理を実行する、
請求項１に記載の画像処理装置。
【請求項３】
前記記憶手段は、画像データを複数記憶し、
記憶手段に記憶された複数の画像データから表示対象の画像データの選択を受け付ける選択受付手段と、
前記選択受付手段によって選択された前記表示対象の画像データに基づいて画像を表示する表示手段と、を備え、
前記位置情報取得手段は、前記選択受付手段による前記表示対象の画像データの選択受け付け時の位置情報を取得し、
前記画調変更手段は、前記位置情報取得手段によって取得された前記位置情報に対応する画調変更処理の内容に基づいて、前記記憶手段に記憶された前記画像データに対して前記画調変更処理を実行する、
請求項１に記載の画像処理装置。
【請求項４】
前記記憶手段に記憶された画像データから、人物被写体の画像データを抽出する抽出手段と、
前記抽出手段により抽出された画像データに対応する人物被写体の種別を特定する被写体種別特定手段と、
人物被写体の画像データの画調変更処理の内容を、人物被写体の種別に対応付けて記憶する被写体画調変更内容記憶手段と、
を備え、
前記画調変更手段は、
前記抽出手段により抽出された人物被写体の画像データに対して、前記被写体画調変更内容記憶手段に記憶された画調変更処理の内容のうち前記被写体種別特定手段により特定された種別に対応する画調変更処理の内容に基づいて、画調変更処理を行う被写体画像画調変更手段と、
前記記憶手段に記憶された画像データのうち前記人物被写体の画像データに対応する部分を除く部分を背景の画像データとして、該背景の画像データに対して、前記位置情報取得手段によって取得された位置情報に対応する画調変更処理の内容に基づいて画調変更処理を行う背景画像画調変更手段と、
前記背景画像画調変更手段による処理結果の画像データと、前記被写体画像画調変更手段による処理結果の画像データと、を合成する合成手段と、
を備える請求項１乃至３の何れか１項に記載の画像処理装置。
【請求項５】
被写体を撮影して、前記被写体の画像の画像データを出力する撮影手段を備え、
前記撮影手段によって撮影されて出力される画像の画像データを一時的に記憶する一時記憶手段と、
前記一時記憶手段に一時的に記憶された画像データに基づいて画像を表示する表示手段と、
を備え、
前記位置情報取得手段は、前記撮影手段による画像撮影時の位置情報を取得し、
前記画調変更手段は、前記位置情報取得手段によって取得された前記画像撮影時の位置情報に対応する画調変更処理の内容に基づいて、前記一時記憶手段に記憶された画像データに対して画調変更処理を行い、
前記表示手段は、前記画調変更手段によって画調変更処理が行われた画像データに基づいて画像を表示する、
請求項１に記載の画像処理装置。
【請求項６】
前記一時記憶手段に一時的に記憶された画像データから、人物被写体の画像データを抽出する抽出手段と、
前記抽出手段により抽出された画像データに対応する人物被写体の種別を特定する被写体種別特定手段と、
人物被写体の画像データの画調変更処理の内容を、人物被写体の種別に対応付けて記憶する被写体画調変更内容記憶手段と、
を備え、
前記画調変更手段は、
前記抽出手段により抽出された人物被写体の画像データに対して、前記被写体画調変更内容記憶手段に記憶された画調変更処理の内容のうち前記被写体種別特定手段により特定された種別に対応する画調変更処理の内容に基づいて、画調変更処理を行う被写体画像画調変更手段と、
前記記憶手段に記憶された画像データのうち前記人物被写体の画像データに対応する部分を除く部分を背景の画像データとして、該背景の画像データに対して、前記位置情報取得手段によって取得された位置情報に対応する画調変更処理の内容に基づいて画調変更処理を行う背景画像画調変更手段と、
前記背景画像画調変更手段による処理結果の画像データと、前記被写体画像画調変更手段による処理結果の画像データと、を合成する合成手段と、を備え、
前記表示手段は、前記画調変更手段によって画調変更処理が行われた画像データに基づいて画像を表示する、
請求項５に記載の画像処理装置。
【請求項７】
画像データを記憶する記憶ステップと、
複数の位置情報毎に、画像の画調を変更する画調変更処理の内容を記憶する画調変更内容記憶ステップと、
画像に関連する位置を示す位置情報を取得する位置情報取得ステップと、
前記画調変更内容記憶ステップにおいて前記複数の位置情報毎に記憶された前記画調変更処理の内容のうち、前記位置情報取得ステップにおいて取得された前記位置情報に対応する画調変更処理の内容に基づいて、前記記憶ステップにおいて記憶された前記画像データに対して前記画調変更処理を実行する画調変更ステップと、
を含む画像処理方法。
【請求項８】
被写体を撮影する撮影手段を備えたコンピュータを、
被写体を撮影して、前記被写体の画像の画像データを出力する撮影手段と、
前記撮影手段から出力された前記画像の画像データを記憶する記憶手段と、
複数の位置情報毎に、画像の画調を変更する画調変更処理の内容を記憶する画調変更内容記憶手段と、
画像に関連する位置を示す位置情報を取得する位置情報取得手段と、
前記画調変更内容記憶手段に前記複数の位置情報毎に記憶された前記画調変更処理の内容のうち、前記位置情報取得手段によって取得された前記位置情報に対応する画調変更処理の内容に基づいて、前記記憶手段に記憶された前記画像データに対して前記画調変更処理を実行する画調変更手段と、
して機能させるための、画像処理プログラム。
【発明の詳細な説明】
【技術分野】
【０００１】
本発明は、画像処理装置、画像処理方法及び画像処理プログラムに関し、特に、画像に関連する地域の趣向を反映した画像処理を実行可能にする技術に関する。
【背景技術】
【０００２】
近年、デジタルカメラやカメラ付き携帯電話機などの撮像装置が普及し、様々な地域で撮像装置が利用されるようになっている。また、撮像装置により撮像された被写体の画像は、加工が容易な画像データの形態で保存される。
【０００３】
このような画像データに対して、国や地域などにより異なる趣向を反映した画像処理を実行する技術が知られている。例えば、ある国では自然な肌色を重視した画像処理が施されるのに対して、別のある国では鮮やかな原色を重視した画像処理が施される。
特に、特許文献１には、画像処理内容をユーザがマニュアルで指示することなく、地域による趣向の違いに対応した画像処理を実行する技術こが開示されている。
【先行技術文献】
【特許文献】
【０００４】
【特許文献１】特開２００７−１９９２１号公報
【発明の概要】
【発明が解決しようとする課題】
【０００５】
しかしながら、特許文献１に開示された技術では、単調な画像処理が画像データに施されるのみであり、撮像装置による撮影が行われた地域（以下、「撮影地域」と呼ぶ）や画像を表示する地域（以下、「表示地域」と呼ぶ）に対して人々が抱くイメージを画像に反映させる画像処理は実現できなかった。
【０００６】
そこで、本発明は、撮影地域や表示地域など、画像に関連する地域に対して人々が抱くイメージを反映させた画像処理を実行可能な画像処理装置、画像処理方法及び画像処理プログラムを提供することを目的とする。
【課題を解決するための手段】
【０００７】
本発明では、以下のような解決手段を提供する。
【０００８】
本発明の第１の観点によると、被写体を撮影する撮影手段と、前記撮影手段によって撮影された画像の画像データを記憶する記憶手段と、位置情報を取得する位置情報取得手段と、画像データの画調変更処理内容を位置情報に対応付けて記憶する画調変更内容記憶手段と、前記画調変更内容記憶手段に記憶された画調変更処理内容のうち、前記位置情報取得手段によって取得された位置情報に対応する画調変更処理内容に基づいて、前記記憶手段に記憶された画像データに対して画調変更処理を行う画調変更手段と、を備える画像処理装置を提供する。
【０００９】
本発明の第２の観点によると、被写体を撮影する撮影ステップと、前記撮影ステップによって撮影された画像の画像データを記憶する記憶ステップと、位置情報を取得する位置情報取得ステップと、画像データの画調変更処理内容を位置情報に対応付けて記憶するメモリから、前記位置情報取得ステップによって取得された位置情報に対応する画調変更処理内容を読み出して、前記記憶ステップによって記憶された画像データに対して画調変更処理を行う画調変更ステップと、を含む方法を提供する。
【００１０】
本発明の第３の観点によると、被写体を撮影する撮影手段を備えたコンピュータを、前記撮影手段によって撮影された画像を記憶する記憶手段と、位置情報を取得する位置情報取得手段と、画像データの画調変更処理内容を位置情報に対応付けて記憶するメモリから、前記位置情報取得手段によって取得された位置情報に対応する画調変更処理内容を読み出して、前記記憶手段によって記憶された画像データに対して画調変更処理を行う画調変更手段と、して機能させるための、プログラムを提供する。
【発明の効果】
【００１１】
本発明によれば、撮影地域や表示地域に対して人々が抱くイメージを反映させた画像を生成することができる。
【図面の簡単な説明】
【００１２】
【図１】第１実施形態のデジタルカメラのハードウェアの構成を示すブロック図である。
【図２】図１のデジタルカメラのデータ処理部の機能的構成を示す機能ブロック図である。
【図３】図２のデータ処理部のメモリに記憶される地域特定テーブルの一例を示す図である。
【図４】図２のデータ処理部のメモリに記憶される画調変更テーブルの一例を示す図である。
【図５】図２のデータ処理部が実行する撮影時画調変更処理の流れの一例を示すフローチャートである。
【図６】図５の処理により変更された画像の一例を示す図である。
【図７】図５の処理により変更された画像の一例を示す図である。
【図８】第２実施形態のデジタルカメラのデータ処理部が実行する画像表示時画調変更処理の流れの一例を示すフローチャートである。
【図９】図８の処理により変更された画像の一例を示す図である。
【図１０】第３実施形態のデジタルカメラのデータ処理部の機能的構成を示す機能ブロック図である。
【図１１】図１０のデータ処理部のメモリに記憶される人物画調変更テーブルの一例を示す図である。
【図１２】図１０のデータ処理部が実行する人物背景画調変更処理の流れの一例を示すフローチャートである。
【図１３】図１２の処理により変更された画像の一例を示す図である。
【図１４】第４実施形態のデジタルカメラのデータ処理部が実行するライブビュー画像画調変更処理の流れの一例を示すフローチャートである。
【図１５】図１４の処理により変更された画像の一例を示す図である。
【図１６】第５実施形態のデジタルカメラのデータ処理部の機能的構成を示す機能ブロック図である。
【図１７】図１６のデータ処理部のメモリに記憶されるパターンマッチングテーブルの一例を示す図である。
【発明を実施するための形態】
【００１３】
以下、本発明の実施の形態に係る画像処理装置を、図面を参照して説明する。なお、以下では、画像処理装置の一例としてデジタルカメラを用いて説明するが、画像処理装置は、位置情報を取得する機能を備えたカメラであればよい。
【００１４】
［第１実施形態］
図１乃至図７を参照して、本発明の第１実施形態について説明する。
【００１５】
［デジタルカメラの構成］
図１乃至図４を参照して、本発明の画像処理装置の第１実施形態に係るデジタルカメラ１について説明する。なお、図１は、デジタルカメラ１の内部のハードウェア構成を示すブロック図である。また、図２は、デジタルカメラ１のデータ処理部１２データの機能的構成を示す機能ブロック図である。また、図３及び図４は、デジタルカメラ１のメモリ３４内に格納される地域特定テーブル１１２Ａ及び画調変更テーブル１１３Ａの一例を示す図である。
【００１６】
図１に示すように、デジタルカメラ１は、撮影部１１と、データ処理部１２と、ユーザインタフェース部１３と、を備える。
【００１７】
撮影部１１は、光学レンズ部２１と、イメージセンサ２２と、を備える。
【００１８】
光学レンズ部２１は、被写体を撮影するために、光を集光する前玉レンズ（図示せず）の他、被写体をイメージセンサ２２の受光面の結像させるフォーカスレンズ（図示せず）、焦点距離を一定の範囲で自在に変化させるズームレンズ（図示せず）などで構成される。光学レンズ部２１にはまた、必要に応じて、焦点、露出、ホワイトバランスなどの設定パラメータを調整する周辺回路が設けられる。
【００１９】
イメージセンサ２２は、光電変換素子や、ＡＦＥ(Analog  Front  End)などから構成される。光電変換素子は、例えばＣＭＯＳ(Complementary  Metal  Oxide  Semiconductor)型の光電変換素子などから構成される。光電変換素子には、光学レンズ部２１からシャッタ部（図示せず）を介して被写体像が入射される。そこで、光電変換素子は、一定時間ごとに被写体像を光電変換（撮影）して画像信号を蓄積し、蓄積した画像信号をアナログ信号としてＡＦＥに順次供給する。ＡＦＥは、このアナログの画像信号に対して、Ａ／Ｄ(Analog/Digital)変換処理などの各種信号処理を実行する。各種信号処理によって、デジタル信号が生成され、イメージセンサ２２の出力信号として出力される。なお、以下、画像信号のデジタル信号を、「画像データ」と呼ぶ。このように呼称すると、イメージセンサ２２からは画像データが出力されて、データ処理部１２に供給される。
【００２０】
データ処理部１２は、ＣＰＵ(Central  Processing  Unit)３１と、ＲＯＭ(Read  Only  Memory)３２と、ＲＡＭ(Random  Access  Memory)３３と、メモリ３４と、表示制御部３５と、画像処理部３６と、を備えている。
【００２１】
ＣＰＵ３１は、ＲＯＭ３２に記録されているプログラムに従って各種の処理を実行する。本実施の形態のデジタルカメラ１は、通常撮影モードに加え、後述する、撮影された画像の画調を変更する撮像時画調変更モードを備える。ＲＯＭ３２には、通常撮影モード及び撮像時画調変更モード時の処理、後述する撮影時画調変更処理を含む各種処理、表示制御部３５、画像処理部３６を含む各種機能を実行するためのプログラムが記憶されている。ＣＰＵ３１が、ＲＯＭ３２に記憶されているプログラムに従って処理を行うことで、表示制御部３５、画像処理部３６を含む各種機能、及び通常撮影モード及び撮像時画調変更モード時の撮影時画調変更処理を含む各種処理が実現される。
ＲＡＭ３３には、ＣＰＵ３１が各種の処理を実行する上において必要なデータなどが適宜記憶される。
【００２２】
メモリ３４は、ＤＲＡＭ(Dynamic  Random  Access  Memory)やＲＯＭ(Read  Only  Memory)などで構成される。ＤＲＡＭには、イメージセンサ２２から出力された画像データが一時的に記憶される。ＲＯＭには、地域情報や画調変更内容等を含む、各種画像処理に必要な画像データ、パラメータ、各種フラグの値、閾値などが記憶される。メモリ３４には、画像表示用の画像データ（以下、「表示画像データ」と呼ぶ）の保存と読み出しを行うための表示メモリ領域も含まれている。
【００２３】
表示制御部３５は、メモリ３４の表示メモリ領域に格納された表示画像データを読み出し、表示画像データにより表現される画像（以下、「表示画像」と呼ぶ）を、ユーザインタフェース部１３の表示部４１に表示させる制御を実行する。例えば、表示制御部３５は、当該表示画像データに基づいてＲＧＢ信号を生成し、当該ＲＧＢ信号を表示部４１に供給することにより、表示画像を表示部４１に表示させる。なお、表示制御部３５により生成されたＲＧＢ信号は、ユーザインタフェース部１３の通信部４４によって、図示せぬ外部機器に出力させることもできる。これにより、外部機器、例えば、テレビジョン受像機、パソコン、プロジェクタなどでも、表示画像の表示が可能になる。
【００２４】
画像処理部３６は、ＤＳＰ(Digital  Signal  Processor)などで構成され、メモリ３４に記憶された画像データに対して、ホワイトバランス補正処理やγ補正処理などの各種画像処理を実行する。本実施形態では、図２で後述するＧＰＳ制御部１０１、画調変更部１０２が実行する各種画像処理のうち少なくとも一部が、画像処理部３６において実行され、残りの一部がＣＰＵ３１において実行される。即ち、本実施形態では、後述するＧＰＳ制御部１０１、画調変更部１０２は、ＣＰＵ３１及び画像処理部３６というハードウェアと、ＲＯＭ３２に記憶されたプログラム（ソフトウェア）との組み合わせとして構成されている。
【００２５】
ユーザインタフェース部１３は、デジタルカメラ１の筐体に設けられたディスプレイなどで構成される表示部４１と、ＧＰＳ（Global  Positioning  System）用衛星（複数）からのＧＰＳ信号を受信して、ＧＰＳ信号に基づいて、デジタルカメラ１の現在位置を示す緯度及び経度を算出するＧＰＳ部４２と、ユーザの指示操作を受け付ける操作部４３と、外部機器との間での通信を制御する通信部４４と、画像データを記憶するリムーバブル記憶媒体５１に対するデータの読み書きを行うドライブ４５と、を備えている。
【００２６】
なお、リムーバブル記憶媒体５１は、データ処理部１２により生成された画像データを記憶する。リムーバブル記憶媒体５１は、例えば、メモリカードなどにより実現され、記憶手段を構成する。
【００２７】
また、操作部４３は、図示は省略するが、シャッターキー、電源ボタン、ズームキー、及びモード切替キーなどを含み、各操作に基づき操作信号を発生してデータ処理部１２へ送出する。例えば、操作者によりモード切替キーが操作されて、例えば、撮像時画調変更モードが指定されると、操作信号がデータ処理部１２に送られ、ＣＰＵ３１は、モードを指定された撮像時画調変更モードに切り替える。同様に、操作者によりモード切替キーが操作されて、通常撮影モードが指定されると、ＣＰＵ３１は、モードを指定された通常撮影モードに切り替える。この他にも操作者による操作部４３の操作に伴い、各種操作信号がデータ処理部１２に送られ、ＣＰＵ３１は、操作信号に応じて処理を行う。
【００２８】
次に、図２を参照して、デジタルカメラ１の一機能である撮像時画調変更モード時のデータ処理部１２の機能的構成について説明する。
【００２９】
データ処理部１２は、ＧＰＳ制御部１０１と、画調変更部１０２と、を備えている。また、データ処理部１２のメモリ３４内には、原フレーム記憶部１１１と、地域特定テーブル１１２Ａを記憶した地域情報記憶部１１２と、画調変更テーブル１１３Ａを記憶した画調変更内容記憶部１１３と、処理フレーム記憶部１１４と、が構成されている。
【００３０】
操作者がシャッターキーを押下すると、撮影部１１は、画角内に含まれる被写体を撮影し、その結果得られる画像（以下、「フレーム画像」と呼ぶ）の画像データを出力する。
【００３１】
原フレーム記憶部１１１は、撮影部１１から出力されたフレーム画像の画像データを、原フレーム画像の画像データとして記憶する。
【００３２】
なお、詳細は第２実施形態で述べるが、原フレーム記憶部１１１は、撮影部１１から出力されたフレーム画像だけでなく、リムーバブル記憶媒体５１から読み出されたフレーム画像の画像データも、原フレーム画像の画像データとして記憶される。
【００３３】
ＧＰＳ制御部１０１は、ＧＰＳ部４２を制御して、ＧＰＳ用衛星（複数）からのＧＰＳ信号に基づいて、デジタルカメラ１の現在位置を示す緯度及び経度を取得する。なお、ＣＰＳ制御部１０１は、緯度及び経度の演算に関し、ＧＰＳ用衛星からのＧＰＳ信号の誤差情報や無線基地局の位置情報などを利用することで、演算の精度を高めることともできる。ＧＰＳ制御部１０１は、算出した緯度及び経度、並びに、地域特定テーブル１１２Ａに基づいて、デジタルカメラ１の現在の位置、即ち地域を特定し、特定した位置（地域）を示す情報（以下、「位置情報」と呼ぶ）を出力する。
【００３４】
ここで、地域情報記憶部１１２に記憶された地域特定テーブル１１２Ａには、図３に示すように、緯度及び経度の範囲と地域とが対応付けられている。したがって、ＧＰＳ制御部１０１は、地域特定テーブル１１２Ａを参照して、ＧＰＳ信号から算出した緯度及び経度を指定することで現在位置が存在する地域を特定することができる。
ＧＰＳ制御部１０１が地域特定テーブル１１２Ａを参照して特定した地域を示す位置情報は、画調変更部１０２に送られる。このように、ＧＰＳ制御部１０１は、本発明の位置情報取得手段を構成する。
【００３５】
画調変更部１０２は、ＧＰＳ制御部１０１から供給された位置情報により特定される地域に応じて、原フレーム記憶部１１１に記憶された画像データに対して画調変更処理を実行する。かかる画調変更処理は、例えば、アドビシステム社のソフトウェアであるフォトショップ（登録商標）等の市販のソフトウェアを用いて行うこともできる。
【００３６】
即ち、画調変更部１０２は、ＧＰＳ制御部１０１から供給された位置情報により特定される地域に対応するパラメータを、画調変更テーブル１１３Ａから取得する。そして、画調変更部１０２は、取得したパラメータに従って画調変更処理を実行する。そのため、画調変更部１０２は、画調変更手段を構成する。
【００３７】
ここで、画調変更テーブル１１３Ａには、図４に示すように、地域ごとに変更する画調が対応付けられており、また、それぞれの画調には、図示は省略するが、画調変更処理で用いるパラメータ（画調変更処理内容）がさらに設定されている。
【００３８】
本実施形態では、所定の地域に対応付けられた画調が、当該地域に対し人々が抱くイメージに沿ったものとなるようにパラメータが設定されている。例えば、地域「日本」には、日本から人々が抱くイメージである「日本画調」が対応付けられている。一方、地域「フランス」には、フランスから人々が抱く「西洋画調」が対応付けられている。画調変更テーブル１１３Ａに設定された画調は、コントラスト、明るさ、色の濃さ、色合い、シャープネスなどの複数のパラメータの組み合わせにより規定される。例えば、「日本画調」に対しては、陰影がなく色調が濃厚でなくなるようなパラメータが設定されている。一方、「西洋画調」に対しては、陰影が強調され色調が濃厚となるパラメータが設定されている。
【００３９】
ここで、画調とは、画像から感じることができる印象に基づいて規定されるもので、「日本画調」、「西洋画調」、「水彩画調」、「水墨画調」、「ペン画調」、「ゴッホ調」など、様々な分類がある。画調変更する際のパラメータとして、一例をあげると、例えば、コントラスト、明るさ、色の濃さ、色合い、シャープネス、必要に応じて、ノイズ低減フィルタの効果設定、色温度、γ補正のγ値などがあり、これらパラメータの何れか、或いは組み合わせを指定することができる。しかしながら、本発明はこれに限定されず、上述の画調を表現するために妥当であれば、如何なるパラメータを含んでもよい。
本実施の形態では、各種画調ごとに、上述のパラメータの最適な組み合わせを予め設定してテーブルに対応付けられているものとする。
【００４０】
このようにして、原フレーム画像の画像データに対して画調変更部１０２により画調変更処理が施されることによって得られるフレーム画像（以下、「画調変更画像」と呼ぶ）の画像データは、処理フレーム記憶部１１４に記憶される。
表示制御部３５は、処理フレーム記憶部１１４に記憶された画像データを読み出し、当該画像データにより表現される画像、即ち画調変更画像を表示部４１に表示させる制御を実行する。
【００４１】
なお、処理フレーム記憶部１１４に記憶された画調変更画像の画像データを、リムーバブル記憶媒体５１に記憶させることとしてもよい。
【００４２】
［撮影時画調変更処理のフロー］
モード切替キーの操作に伴い撮像時画調変更モードに切り替えられると、ＣＰＵ３１がＲＯＭ３２に記憶された撮影時画調変更処理プログラムに従って、データ処理部１２を含む各種機能を制御する。以下、撮像時画調変更モードで主としてデータ処理部１２によって実行される撮影時画調変更処理について説明する。
【００４３】
図５を参照して、撮影時画調変更処理の流れを説明する。以下に示す処理は、操作者がシャッターキーを操作することに伴い、撮影部１１が被写体を撮影することによって開始する。
【００４４】
操作者がシャッターキーを操作することに伴い、撮影部１１が被写体を撮影すると（ステップＳ１）、ステップＳ２において、撮影部１１は、ステップＳ１の撮影によって得られたフレーム画像の画像データを、原フレーム画像の画像データとして原フレーム記憶部１１１に記憶する。
【００４５】
ステップＳ３において、ＧＰＳ制御部１０１は、ＧＰＳ部４２を制御して、複数のＧＰＳ用衛星からＧＰＳ信号を受信することによって、撮影時の緯度及び経度の位置情報を取得する。
【００４６】
ステップＳ４において、ＧＰＳ制御部１０１は、地域情報記憶部１１２に記憶された地域特定テーブル１１２Ａを参照して、ステップＳ３の処理で取得した緯度及び経度に対応する地域を特定し、当該地域を示す位置情報を出力する。
【００４７】
ステップＳ５において、画調変更部１０２は、原フレーム記憶部１１１に記憶された画像データに対して、当該原フレーム画像の画調を、ステップＳ４の処理で特定された地域に対応する画調に変更する画調変更処理を実行する。具体的には、画調変更部１０２は、画調変更内容記憶部１１３に記憶された画調変更テーブル１１３Ａから、特定された地域に対応する画調を規定するパラメータを読み出す。そして、画調変更部１０２は、当該パラメータに基づいて原フレーム記憶部１１１に記憶された画像データに対して画調変更処理を実行する。これにより、画調変更画像の画像データが得られる。
ステップＳ６において、画調変更部１０２は、画調変更画像の画像データを処理フレーム記憶部１１４に記憶する。
【００４８】
ステップＳ６において、表示制御部３５は、処理フレーム記憶部１１４に記憶された画像データを読み出し、読みだした画像データにより表現される画像、即ち画調変更画像を表示部４１に表示させる。
【００４９】
ステップＳ７において、処理フレーム記憶部１１４に記憶された画調変更画像の画像データを、リムーバブル記憶媒体５１に記憶させる。
これにより、撮影時画調変更処理は終了となる。
【００５０】
［画像の画調変更の例］
図６及び図７を参照して、撮影時画調変更処理に伴う画調変更を具体的に説明する。図６は、撮影地が日本である画像が日本画調に変更される例を示し、図７は、撮影地がフランスである画像が西洋画調に変更される例を示す。
【００５１】
図６を参照して、撮影地が日本である画像が日本画調に変更される例について説明する。図６（１）は、画調変更前の原フレーム画像２００を示す図であり、図６（２）は、画調変更後の画調変更画像２００Ａを示す図である。
【００５２】
図６（１）において、原フレーム画像２００には、人物被写体２０１及び背景２０２が含まれている。この人物被写体２０１をデジタルカメラ１が撮影した地域が、ＧＰＳ制御部１０１により特定されると、画調変更部１０２によって、特定された地域に対応する画調に設定されたパラメータが読みだされ、当該パラメータに基づいて画調変更処理が実行される。
【００５３】
例えば、図６（１）では、地域として「日本」が特定され、「日本」に対応する画調として「日本画調」が読み出されているものとする。
この場合、原フレーム画像２００は、日本画調の画調変更画像２００Ａに変更される。（図６（２））。具体的には、画調変更部１０２が、日本画調のパラメータに従って、画像の陰影を薄くするとともに、色調を淡泊とするような画調変更処理を、原フレーム画像２００の画像データに対して実行する。その結果、人物被写体２０１及び背景２０２が、日本画調の人物被写体２０１Ａ及び背景２０２Ａに変更される。例えば、人物被写体２０１Ａの顔のほりが浅くなるように変更される。
【００５４】
続いて、図７を参照して、撮影地がフランスである画像が西洋画調に変更される例について説明する。図７（１）は、画調変更前のフレーム画像２１０を示す図であり、図７（２）は、画調変更後の画調変更画像２１０Ａを示す図である。
【００５５】
図７（１）において、撮影されたフレーム画像２１０には、人物被写体２１１及び背景２１２が表示されている。このとき、ＧＰＳ制御部１０１により、フレーム画像２１０の撮影した地域が「フランス」と特定され、「西洋画調」に対応するパラメータが読み出されているものとする。
【００５６】
その結果、フレーム画像２１０は、西洋画調の画調変更画像２１０Ａに画像処理される（図７（２））。具体的には、デジタルカメラ１の画調変更部１０２が、西洋画調のパラメータに従って、フレーム画像２１０の陰影が強調されるとともに、色調が濃厚になる。その結果、人物被写体２１１及び背景２１２が、西洋画調の人物被写体２１１Ａ及び背景２１２Ａに変更される（例えば、人物被写体の顔のほりが深くなるなど）。
【００５７】
このように、第１実施形態では、撮影部１１により撮影された画像を、撮影地域に対し人々が抱くイメージを反映させた画調に変更することができる。
【００５８】
［第２実施形態］
続いて、本発明の第２実施形態について、図８及び図９を参照して説明する。第１実施形態では、画像の撮影時の位置情報に基づいて画像処理を行うものとして説明したが、第２実施形態では、撮影されて既にリムーバブル記憶媒体５１に記憶された画像を表示する際、表示時の位置情報に基づいて画像処理を行う点が第１実施形態とは異なる。なお、第２実施形態のデジタルカメラの構成は、ＲＯＭ３２に、表示時の位置情報に基づいて画像処理を行う表示時画調変更処理を実行するためのプログラムが保存されており、モード切替キーの操作に伴い表示時画調変更モードに切り替えられると、ＣＰＵ３１がＲＯＭ３２に保存された表示時画調変更処理を実行する点を除くと、第１実施形態のデジタルカメラ１の構成と略同一である。このため、第１実施形態のデジタルカメラ１と同一の構成には同一の番号を付して説明を省略する。
【００５９】
［画像表示時画調変更処理のフロー］
モード切替キーの操作に伴い表示時画調変更モードに切り替えられると、ＣＰＵ３１がＲＯＭ３２に記憶された表示時画調変更処理プログラムに従って、データ処理部１２を含む各種機能を制御する。以下、表示時画調変更モードで主としてデータ処理部１２によって実行される撮影時画調変更処理について説明する。
図８を参照して、表示時画調変更処理の流れを説明する。以下に示す処理は、ステップＳ１１において、操作者が操作部４３を操作して画像一覧表示要求を行うことに伴い、開始する。
【００６０】
データ処理部１２が操作者による操作部４３からの画像一覧表示要求の操作を受け付けると（ステップＳ１１）、表示制御部３５は、リムーバブル記憶媒体５１に記憶されている複数の原フレーム画像の一覧を、表示部４１に表示する（ステップＳ１２）。なお、表示制御部３５は、リムーバブル記憶媒体５１に記憶されている原フレーム画像を縮小した上で一覧表示することとしてもよい。
【００６１】
続いて、データ処理部１２は、モード切替キーの操作に伴う操作信号を受け付けたか否かを判別する（ステップＳ１３）。このとき、操作者による操作部４３の操作により、何れかの原フレーム画像が選択された場合には、ステップＳ１４に移り、選択されない場合には、ステップＳ１１に戻る。このように、操作部４３は、選択受付手段を構成する。
【００６２】
ステップＳ１４では、原フレーム記憶部１１１は、ステップＳ１３で選択された画像データをリムーバブル記憶媒体５１から読み出し、記憶する。その後、原フレーム記憶部１１１は、当該画像データを画調変更部１０２に送る。このように、第１実施形態と第２実施形態とでは、画調変更部１０２が取得する原フレーム画像の画像データが異なることとなる。即ち、第１実施形態では、画調変更部１０２は、撮影された原フレーム画像の画像データを取得するのに対し、第２実施形態では、画調変更部１０２は、既に撮影されてリムーバブル記憶媒体５１に記憶されている複数の原フレーム画像から、操作者により選択された原フレーム画像を取得する。
【００６３】
続いて、ＧＰＳ制御部１０１は、複数のＧＰＳ用衛星からＧＰＳ信号を受信して、原フレーム画像選択を検出した時点、即ち、画像表示時の緯度及び経度の位置情報を取得する（ステップＳ１５）とともに、地域特定テーブル１１２Ａを参照して、取得した緯度及び経度に対応する地域を特定する（ステップＳ１６）。
【００６４】
続いて、画調変更部１０２は、原フレーム記憶部１１１に記憶された画像データを特定された地域に対応する画調に変更する処理を行い（ステップＳ１７）、画像処理を施した画調変更画像の画像データを処理フレーム記憶部１１４に記憶する。
【００６５】
続いて、表示制御部３５は、処理フレーム記憶部１１４に記憶された画像データを読み出し、表示部４１に表示する（ステップＳ１８）。その後、処理フレーム記憶部１１４に記憶された画調変更画像の画像データを、リムーバブル記憶媒体５１に記憶させる（ステップＳ１９）。
これにより、画像表示時画調変更処理は終了となる。
【００６６】
［画像の画調変更の例］
続いて、図９を参照して、画像表示時画調変更処理に伴う画調変更を具体的に説明する。図９（１）は、操作者により選択された画像を示し、図９（２）は、当該画像を日本で表示する際の表示例を示し、図９（３）は、当該画像をフランスで表示する際の表示例を示す。
【００６７】
図９（１）において、操作者により選択されたフレーム画像３００には、人物被写体３０１及び背景３０２が表示されている。
【００６８】
図９（２）において、フレーム画像３００を日本で表示すると、フレーム画像３００は、日本画調の画調変更画像３００Ａに画像処理される。その結果、人物被写体２０１及び背景２０２が、日本画調の人物被写体２０１Ａ及び背景２０２Ａに変更される（例えば、人物被写体の顔のほりが浅くなるなど）。
【００６９】
また、図９（３）において、フレーム画像３００をフランスで表示すると、フレーム画像３００は、西洋画調の画調変更画像３００Ｂに画像処理される。その結果、人物被写体２１１及び背景２１２が、西洋画調の人物被写体２１１Ａ及び背景２１２Ａに変更される（例えば、人物被写体の顔のほりが深くなるなど）。
【００７０】
このように、第２実施形態では、撮影部１１により撮影された画像を、表示地域に対し人々が抱くイメージを反映させた画調に変更することができるため、同じフレーム画像であっても、表示する地域によって異なるように表示される。
【００７１】
なお、第２実施形態の画像処理装置では、リムーバブル記憶媒体５１に記憶された画像データを表示可能であれば撮影部１１は必ずしも必要ではなく、例えば、デジタルフォトフレームのような撮影部を備えない機器にも適用可能である。
【００７２】
［第３実施形態］
続いて、本発明の第３実施形態について、図１０乃至図１３を参照して説明する。第１実施形態及び第２実施形態では、画像ごとに一括して画像処理する場合について説明したが、第３実施形態では、１つの画像の中の人物被写体と背景とを別々に画像処理する点が第１実施形態及び第２実施形態とは異なる。より具体的には、人物被写体の画像データについては、人物被写体の種別（性別、年齢、人種など）に対応付けられた画調変更処理を行い、背景の画像データについては撮影時の位置情報に対応付けられた画調変更処理を行う。
【００７３】
なお、第３実施形態のデジタルカメラ１Ａでは、ＲＯＭ３２に、人物背景画調変更処理を実行するためのプログラムが保存されており、モード切替キーの操作に伴い人物背景画調変更モードに切り替えられると、ＣＰＵ３１がＲＯＭ３２に保存された人物背景画調変更処理を実行する。
【００７４】
［デジタルカメラの構成］
図１０及び図１１を参照して、第３実施形態のデジタルカメラ１Ａについて説明する。なお、第１実施形態のデジタルカメラ１と同一の構成については、同一の符号を付し詳細な説明を省略する。
【００７５】
図１０に示すように、データ処理部１２Ａは、ＧＰＳ制御部１０１に加えて、人物被写体抽出部１０３Ａと、背景画像画調変更部１０４Ａと、人物被写体種別特定部１０５Ａと、人物被写体画像画調変更部１０６Ａと、合成部１０７Ａと、を備える。なお、背景画像画調変更部１０４Ａ乃至合成部１０７Ａは、第１実施形態の画調変更部１０２を構成する。第３実施形態に特有の人物被写体抽出部１０３Ａ乃至合成部１０７Ａの各機能は、ＣＰＵ３１がＲＯＭ３２に記憶されたプログラムに従って処理を行うことで実現される。即ち、人物被写体抽出部１０３Ａ乃至合成部１０７Ａは、ＣＰＵ３１というハードウェアと、ＲＯＭ３２に記憶されたプログラム（ソフトウェア）との組み合わせとして構成されている。
また、メモリ３４Ａは、原フレーム記憶部１１１乃至処理フレーム記憶部１１４に加えて、人物画調変更テーブル１１５Ａを記憶した被写体画調変更内容記憶部１１５を備える。
【００７６】
人物被写体抽出部１０３Ａは、原フレーム記憶部１１１に記憶されたフレーム画像の画像データから、人物被写体部分の画像データ（以下、「人物被写体画像データ」と呼ぶ）、及びフレーム画像の画像データにおける人物被写体画像データの位置情報を抽出する。なお、人物被写体画像データの抽出には、例えば、人の全体像のテンプレート画像の画像データを用意しておき、フレーム画像の画像データと比較するパターンマッチング等の方法を用いることができる。
人物被写体抽出部１０３Ａは、人物被写体画像データを抽出すると、抽出した人物被写体画像データ及び人物被写体画像データの位置情報を人物被写体種別特定部１０５Ａに送り、フレーム画像の画像データから人物被写体画像データを除いた画像データ（以下、「背景画像データ」と呼ぶ）を背景画像画調変更部１０４Ａに送る。
【００７７】
背景画像画調変更部１０４Ａは、人物被写体抽出部１０３Ａから送られた背景画像データに対して、ＧＰＳ制御部１０１、及び地域情報記憶部１１２に記憶された地域特定テーブル１１２Ａにより特定された地域に対応して画調変更内容記憶部１１３に記憶された画調変更テーブル１１３Ａに設定されているパラメータに従って、画調変更処理を実行する。即ち、第３実施形態では、フレーム画像のうち背景部分のみが、撮影された地域に対応付けられた画調に変更される。背景画像画調変更部１０４Ａにより画調変更処理が施された背景画像データ（以下、「変更背景画像データ」と呼ぶ）は、合成部１０７Ａに送られる。
【００７８】
人物被写体種別特定部１０５Ａは、人物被写体抽出部１０３Ａから送られた人物被写体画像データに対応する人物被写体の種別（例えば、性別、年齢、人種など）を特定する。なお、人物被写体の種別の特定には、任意の方法を用いることができる。一例としては、特開２００７−２８０２９１号公報に記載されているように、人物被写体画像データから顔パーツのデータを生成した上で、顔の期間を構成する特徴点を用いた演算処理により人種、年齢、性別などを判別することができる。人物被写体種別特定部１０５により特定された人物被写体の種別、及び人物被写体抽出部１０３Ａから送られた人物被写体画像データ並びに人物被写体画像データの位置情報は、人物被写体画像画調変更部１０６Ａに送られる。
【００７９】
人物被写体画像画調変更部１０６Ａは、人物被写体画像データに対して、当該人物被写体の種別に対応付けられたパラメータに従って、画調変更処理を実行する。なお、人物被写体の種別に対応付けられたパラメータは、被写体画調変更内容記憶部１１５に記憶された人物画調変更テーブル１１５Ａに設定されている。
ここで、人物画調変更テーブル１１５Ａには、図１１に示すように、人物被写体の種別（性別、年齢、人種など）ごとに、変更する画調の情報が対応付けられており、また、それぞれの画調には、図示は省略するが、画調変更処理で用いるパラメータがさらに設定されている。
【００８０】
本実施形態では、人物被写体の種別に対応付けられた画調が、人物被写体の種別に対し人々が抱くイメージに沿ったものとなるようにパラメータが設定されている。例えば、性別「女」年齢「２１〜４０」人種「アジア」である場合には、「日本画調」が対応付けられている。人物画調変更テーブル１１５Ａでは、画調ごとに、上述のように、例えば、コントラスト、明るさ、色の濃さ、色合い、シャープネスなどの複数のパラメータの組み合わせが設定されているものとする。
【００８１】
なお、第３実施形態では、人物被写体の種別に対応付けられたパラメータが多くなる場合があるため、例えば、日本画調であってもパターン１、パターン２などというように複数のパターンを設けることが好ましい。
このように、第３実施形態では、フレーム画像のうち人物被写体部分は、特定された人物被写体の種別に対して人々が抱くイメージに沿った画調に変更される。人物被写体画像画調変更部１０６Ａにより画調変更処理が施された人物被写体画像データ（以下、「変更人物被写体画像データ」と呼ぶ）、及びフレーム画像の画像データにおける人物被写体画像データの位置情報は、合成部１０７Ａに送られる。
【００８２】
合成部１０７Ａは、背景画像画調変更部１０４Ａから送られた変更背景画像データの所定の位置に、人物被写体画像画調変更部１０６Ａから送られた変更人物被写体画像データを重ねることで、両画像データを合成する（以下、合成された画像データを「変更画像データ」と呼ぶ）。なお、変更人物被写体画像データを重ねる所定の位置は、フレーム画像の画像データにおける人物被写体画像データの位置情報から特定される。合成部１０７Ａにより合成された変更画像データは、処理フレーム記憶部１１４に記憶される。
処理フレーム記憶部１１４に記憶された画調変更画像の画像データを、リムーバブル記憶媒体５１に記憶させることとしてもよい。
【００８３】
表示制御部３５は、処理フレーム記憶部１１４に記憶された変更画像データを読み出し、変更画像データにより表現される画像を表示部４１に表示させる制御を実行する。
【００８４】
［人物背景画調変更処理のフロー］
ＣＰＵ３１がＲＯＭ３２に記憶された人物背景画調変更処理プログラムに従ってデータ処理部１２Ａを含む各種機能を制御することによって人物背景画調変更処理は実行される。以下、人物背景画調変更モードで主としてデータ処理部１２によって実行される第３実施形態の人物背景画調変更処理について説明する。
図１２を参照して、撮影時画調変更処理の流れを説明する。以下に示す処理は、操作者がシャッターキーを操作することに伴い、撮影部１１が被写体を撮影することによって開始する。
【００８５】
操作者がシャッターキーを操作することに伴い、撮影部１１が被写体を撮影すると（ステップＳ２１）撮影部１１は、ステップＳ１の撮影によって得られたフレーム画像の画像データを、ステップＳ２において、原フレーム画像の画像データとして原フレーム記憶部１１１に記憶する。
【００８６】
続いて、人物被写体抽出部１０３Ａは、フレーム画像の画像データから、人物被写体画像データ及び背景画像データを特定する（ステップＳ２３）。このとき、人物被写体抽出部１０３Ａは、フレーム画像の画像データにおける人物被写体画像データの位置情報も特定する。なお、特定された背景画像データは、背景画像画調変更部１０４Ａに送られ、特定された人物被写体画像データ及び位置情報は、人物被写体種別特定部１０５Ａに送られる。
【００８７】
続いて、ＧＰＳ制御部１０１は、ＧＰＳ部４２を制御して、複数のＧＰＳ用衛星からＧＰＳ信号を受信することによって、撮影時の緯度及び経度の位置情報を取得する（ステップＳ２４）。さらに、ＧＰＳ制御部１０１は、地域情報記憶部１１２に記憶された地域特定テーブル１１２Ａを参照して、取得した緯度及び経度に対応する地域を特定する（ステップＳ２５）。
【００８８】
続いて、背景画像画調変更部１０４Ａは、背景画像データを特定された地域に対応する画調に変更する処理を行う（ステップＳ２６）。具体的には、背景画像画調変更部１０４Ａは、ステップＳ２４にて特定された地域を指定することで画調変更内容記憶部１１３に記憶された画調変更テーブル１１３Ａから画像処理におけるパラメータを読み出し、当該パラメータに基づいて背景画像データに対して画像処理を実行する。なお、背景画像画調変更部１０４Ａにより画像処理が施された変更背景画像データは、合成部１０７Ａに送られる。
【００８９】
続いて、人物被写体種別特定部１０５Ａは、人物被写体画像データに対応する人物被写体の種別（性別、年齢、人種など）を特定する（ステップＳ２７）。次に、人物被写体画像画調変更部１０６Ａは、人物被写体画像データを特定された人物被写体の種別に対応する画調に変更する処理を行う（ステップＳ２８）。具体的には、人物被写体画像画調変更部１０６Ａは、ステップＳ２７にて特定された人物被写体の種別を指定することで被写体画調変更内容記憶部１１５に記憶された人物画調変更テーブル１１５Ａから画像処理におけるパラメータを読み出し、当該パラメータに基づいて人物被写体画像データに対して画像処理を実行する。なお、人物被写体画像画調変更部１０６Ａにより画像処理が施された変更人物被写体画像データは、合成部１０７Ａに送られる。
【００９０】
続いて、合成部１０７Ａは、変更背景画像データの所定の位置に、変更人物被写体画像データを重ねることで、両画像データを合成する（ステップＳ２９）。なお、合成後の変更画像データは、処理フレーム記憶部１１４に記憶される。次に、表示制御部３５は、処理フレーム記憶部１１４に記憶された変更画像データを読み出し、表示部４１に表示する（ステップＳ３０）。
ステップＳ３１において、処理フレーム記憶部１１４に記憶された画調変更画像の画像データを、リムーバブル記憶媒体５１に記憶させる。
これにより、人物背景画調変更処理は終了となる。
【００９１】
［画像の画調変更の例］
続いて、図１３を参照して、人物背景画調変更処理に伴う画調変更を具体的に説明する。図１３では、「フランス」で「２０代の日本人女性」を撮影したフレーム画像４００に対して、人物背景画調変更処理を施した際の画調変更の例を示す。図１３（１）は、画調変更前のフレーム画像４００を示す図であり、図１３（２）は、画調変更後の画調変更画像４００Ａを示す図である。
【００９２】
図１３（１）において、フレーム画像４００には、人物被写体４０１及び背景４０２が表示されている。ここで、人物被写体４０１の種別は、性別「女」年齢「２１〜４０」人種「アジア」であり、人物被写体画調変更テーブル１１１５Ａでは、例えば、「日本画調」に該当するパラメータが対応付けられているものとする。また、ＧＰＳ制御部１０１によりフレーム画像４００を撮影した地域は「フランス」と特定され、画調変更テーブル１１３Ａでは「西洋画調」に該当するパラメータが対応付けられているものとする。そのため、第３実施形態の人物背景画調変更処理では、人物被写体４０１を「日本画調」に画像処理し、背景４０２を「西洋画調」に画像処理する。
【００９３】
図１３（２）において、人物背景画調変更処理を実行すると、「日本画調」の人物被写体４０１Ａ及び「西洋画調」の背景４０２Ａからなる画調変更画像４００Ａが表示部４１に表示される。例えば、「日本画調」に変更された人物被写体４０１Ａは、陰影がなくなりほりが浅くなり、「西洋画調」に変更された背景４０２Ａは、陰影が強調され色彩も濃厚になる。
【００９４】
このように、第３実施形態では、撮影部１１により撮影された画像のうち、背景部分を撮影地域に対し人々が抱くイメージを反映させた画調に変更することができるとともに、人物被写体部分を人物被写体の種別に対して人々が抱くイメージを反映させた画調に変更することができる。
【００９５】
［第４実施形態］
続いて、本発明の第４実施形態のデジタルカメラについて、図１４及び図１５を参照して説明する。第１実施形態では、シャッターキーの操作に伴いリムーバブル記憶媒体５１に記憶された画像に対して画像処理を行うものとしていたが、第４実施形態では、撮影部１１により撮影され、メモリ３４（原フレーム記憶部１１１）に一時的に記憶された画像データに対して画像処理を行う。ここで、第４実施形態のデジタルカメラでは、撮影部１１により撮影されると、撮影された画像データがメモリ３４に一時的に記憶され、表示部４１に画像（以下、「ライブビュー画像」と呼ぶ）がリアルタイムに表示される。このライブビュー画像を見た上で操作者がシャッターキーを操作すると、シャッターキーが操作された時点のライブビュー画像の画像データがリムーバブル記憶媒体５１に記憶される。第４実施形態では、メモリ３４に一時的に記憶され、ライブビュー画像として表示されている画像の画像データに対して画像処理を行うことで、表示部４１にリアルタイムに表示されているライブビュー画像の画調を変更する点が第１実施形態とは異なる。
【００９６】
なお、ライブビュー画像の画調変更は、第４実施形態のデジタルカメラの一機能としてのライブビュー画像変更モードが選択された際に行われる。第４実施形態のデジタルカメラのＲＯＭ３２には、ライブビュー画像変更モードの処理を実行するためのライブビュー画像変更処理プログラムが記憶されている。
【００９７】
［デジタルカメラの構成］
第４実施形態のデジタルカメラの構成は、第１実施形態のデジタルカメラ１と同一の構成であるため、図２を参照して、ライブビュー画像変更モード時のデータ処理部１２の機能的構成を説明する。
【００９８】
原フレーム記憶部１１１は、撮影部１１により撮影されたライブビュー画像の画像データを一時的に記憶する一時記憶手段として機能する。原フレーム記憶部１１１に記憶されたライブビュー画像の画像データは、画調変更部１０２に送られる。なお、原フレーム記憶部１１１に記憶された画像データは、画調変更部１０２に送られた時点で消去されることとしてもよく、また、任意のタイミングで消去されることとしてもよい。
【００９９】
画調変更部１０２は、原フレーム記憶部１１１から送られたライブビュー画像の画像データを、ＧＰＳ制御部１０１、及び地域情報記憶部１１２に記憶された地域特定テーブル１１２Ａにより特定された地域に対応する画調に変更し、処理フレーム記憶部１１４に記憶する。
表示制御部３５は、処理フレーム記憶部１１４に記憶された画像データを読み出し、当該画像データにより表現される画像（以下、「変更ライブビュー画像」と呼ぶ）を表示部４１に表示させる制御を実行する。
【０１００】
［ライブビュー画像画調変更処理のフロー］   
図１４を参照して、第４実施形態のライブビュー画像画調変更処理について説明する。以下に示す処理は、モード切替キーの操作に伴いライブビュー画像変更モードに切り替えられることを条件に、ＣＰＵ３１がＲＯＭ３２に記憶されたライブビュー画像変更処理プログラムに従ってデータ処理部１２を含む各種機能を制御することによって実行される。
【０１０１】
ＣＰＵ３１は、撮影部１１によりライブビュー画像が撮影されると、ライブビュー画像の画像データを原フレーム記憶部１１１に記憶する（ステップＳ４１）。次に、ＧＰＳ制御部１０１は、複数のＧＰＳ用衛星からＧＰＳ信号を受信して、撮影時の緯度及び経度の位置情報を取得する（ステップＳ４２）とともに、地域特定テーブル１１２Ａを参照して、取得した緯度及び経度の位置情報に対応する地域を特定する（ステップＳ４３）。
【０１０２】
続いて、画調変更部１０２は、原フレーム記憶部１１１に記憶された画像データを特定された地域に対応する画調に変更する処理を行う（ステップＳ４４）。具体的には、画調変更部１０２は、特定された地域を指定することで画調変更テーブル１１３Ａから画像処理におけるパラメータを読み出し、当該パラメータに基づいて原フレーム記憶部１１１に記憶された画像データに対して画像処理を実行する。なお、画調変更部１０２は、画像処理を実行すると、画調変更画像の画像データを処理フレーム記憶部１１４に記憶する。
【０１０３】
続いて、表示制御部３５は、処理フレーム記憶部１１４に記憶された画像データを読み出し、表示部４１に表示する（ステップＳ４５）。これにより、ライブビュー画像画調変更処理は終了となる。
【０１０４】
［画像の画調変更の例］
続いて、図１５を参照して、ライブビュー画像画調変更処理に伴う画調変更を具体的に説明する。図１５（１）は、実世界の画角５００をライブビュー画像変更モード時のデジタルカメラで撮影する様子を示す図であり、図１５（２）は、画角５００がデジタルカメラの表示部４１に変更ライブビュー画像５００Ａとして表示されている様子を示す図である。
【０１０５】
図１５（２）に示すように、ライブビュー画像変更モード時では、デジタルカメラの表示部４１には、実世界の画角５００が、撮影地域「フランス」に対応付けられた「西洋画調」に変更されて変更ライブビュー画像５００Ａとして表示される。変更ライブビュー画像５００Ａでは、例えば、陰影や色彩が強調され、人物のほりが深くなる。
【０１０６】
このように、第４実施形態では、表示部４１にリアルタイムで表示されるライブビュー画像を、撮影地域に対し人々が抱くイメージを反映させた画調に変更することができる。
なお、ライブビュー画像についても、第３実施形態のように人物被写体部分と背景部分とを別々に画像処理するものとしてもよい。
【０１０７】
［第５実施形態］
続いて、本発明の第５実施形態のデジタルカメラ１Ｂについて、図１６及び図１７を参照して説明する。第１実施形態乃至第４実施形態では、位置情報をＧＰＳ機能により特定することとしていたが、第５実施形態では、パターンマッチングにより位置情報を特定する。具体的には、メモリ３４Ｂなどの記憶部に国や地域の代表的な地形や風景などの画像データを蓄積しておき、ライブビュー画像又は撮影画像とこの代表的な地形や風景などの画像のデータとにパターンマッチングを行い、位置情報を特定する点において他の実施形態とは異なる。
【０１０８】
［デジタルカメラの構成］
図１６を参照して、第５実施形態のデジタルカメラ１Ｂについて説明する。なお、第１実施形態のデジタルカメラ１と同一の構成については、同一の符号を付し詳細な説明を省略する。
【０１０９】
データ処理部１２Ｂは、ＧＰＳ制御部１０１に代えて、或いは、ＧＰＳ制御部１０１に追加してパターンマッチ制御部１０１Ｂを備える。さらに、メモリ３４Ｂ内の地域情報記憶部１１２は、地域特定テーブル１１２Ａに代えて、或いは、地域特定テーブル１１２Ａに追加してパターンマッチングテーブル１１２Ｂを記憶している。なお、本実施の形態では、パターンマッチ制御部１０１Ｂが、位置情報取得部として機能する。
【０１１０】
パターンマッチ制御部１０１Ｂは、原フレーム記憶部１１１に記憶されたフレーム画像の画像データと、及び地域情報記憶部１１２に記憶されたパターンマッチングテーブル１１２Ｂに地域と対応付けて記憶されたテンプレート画像の画像データと、を対比して、地域を特定する。
【０１１１】
ここで、地域情報記憶部１１２に記憶されたパターンマッチングテーブル１１２Ｂは、図１７に示すように、テンプレート画像の画像データと地域とが対応付けられている。パターンマッチングテーブル１１２Ｂでは、原フレーム画像の画像データと一致したテンプレート画像の画像データを指定することで地域を特定することが可能になっている。
【０１１２】
フレーム画像の画像データとテンプレート画像の画像データとが一致するか否かの判定には、任意の方法を用いることができる。一例としては、両画像データを一定のサイズ及び形状で枡状に区切って画素の相関係数を計算し、所定の閾値を超えた場合に一致すると判定することとしてもよい。
【０１１３】
その結果、例えば、フレーム画像の画像データが、テンプレート画像として設けられている富士山の画像データと一致すると判定した場合には、パターンマッチ制御部１０１Ｂは、撮影地点が日本であると特定する。
【０１１４】
以上、本発明の実施形態について説明したが、本発明は上記実施形態に限定されるものではなく、本発明の目的を達成できる範囲での変形、改良などは本発明に含まれるものである。
【０１１５】
例えば、上述した実施形態では、本発明が適用される画像処理装置は、デジタルカメラとして構成される例として説明した。しかしながら、本発明は、デジタルカメラに特に限定されず、電子機器一般に適用することができる。具体的には例えば、本発明は、ビデオカメラ、携帯型ナビゲーション装置、ポータブルゲーム機などに適用可能である。
【０１１６】
上述した一連の処理は、ハードウェアにより実行させることもできるし、ソフトウェアにより実行させることもできる。
【０１１７】
一連の処理をソフトウェアにより実行させる場合には、そのソフトウェアを構成するプログラムが、コンピュータなどにネットワークや記録媒体からインストールされる。コンピュータは、専用のハードウェアに組み込まれているコンピュータであってもよい。また、コンピュータは、各種のプログラムをインストールすることで、各種の機能を実行することが可能なコンピュータ、例えば汎用のパソコンであってもよい。
【０１１８】
このようなプログラムを含む記録媒体は、図示はしないが、ユーザにプログラムを提供するために装置本体とは別に配布されるリムーバブルメディアにより構成されるだけでなく、装置本体に予め組み込まれた状態でユーザに提供される記録媒体などで構成される。リムーバブルメディアは、例えば、磁気ディスク（フロッピディスクを含む）、光ディスク、又は光磁気ディスクなどにより構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）などにより構成される。光磁気ディスクは、ＭＤ（Ｍｉｎｉ−Ｄｉｓｋ）などにより構成される。また、装置本体に予め組み込まれた状態でユーザに提供される記録媒体は、例えば、プログラムが記録されている図１のＲＯＭ３２や、図示せぬハードディスクなどで構成される。
【０１１９】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【符号の説明】
【０１２０】
１・・・デジタルカメラ（画像処理装置）、１１・・・撮影部（撮影手段）、１２・・・データ処理部、１３・・・ユーザインタフェース部、３１・・・ＣＰＵ（位置情報取得手段、画調変更手段、抽出手段、背景画像画調変更手段、被写体種別特定手段、被写体画像画調変更手段、合成手段）、３２・・・ＲＯＭ（プログラム）、３３・・・ＲＡＭ、３４・・・メモリ（画調変更内容記憶手段、被写体画調変更内容記憶手段、一時記憶手段、記憶手段）、３５・・・表示制御部、３６・・・画像処理部（位置情報取得手段、画調変更手段、抽出手段、背景画像画調変更手段、被写体種別特定手段、被写体画像画調変更手段、合成手段）、４１・・・表示部（表示手段）、４２・・・ＧＰＳ部、４３・・・操作部（選択受付手段）、５１・・・リムーバブル記憶媒体（記憶手段）
【図１】
2011166607.tif 000003
【図２】
2011166607.tif 000004
【図３】
2011166607.tif 000005
【図４】
2011166607.tif 000006
【図５】
2011166607.tif 000007
【図６】
2011166607.tif 000008
【図７】
2011166607.tif 000009
【図８】
2011166607.tif 000010
【図９】
2011166607.tif 000011
【図１０】
2011166607.tif 000012
【図１１】
2011166607.tif 000013
【図１２】
2011166607.tif 000014
【図１３】
2011166607.tif 000015
【図１４】
2011166607.tif 000016
【図１５】
2011166607.tif 000017
【図１６】
2011166607.tif 000018
【図１７】
2011166607.tif 000019